(57)【要約】【課題】  種類の異なる複数の記憶メディアに対応するとともに、コンパクト化を図った店頭設置型のプリンタを提供する。【解決手段】  プリンタ１０の筐体１５には、ディスプレイ１６、選択ボタン１７ａ〜ｅ，カード装着用ユニット２０、硬貨投入穴２１、貨幣投入穴２２、釣り銭払い出し口２３、装填蓋２４、排出口２５、トレイ２６が設けられている。カード装着用ユニット２０は、回転軸３５ａを中心にして筐体１５に対して回転自在に支持されたフレーム３５、このフレーム３５の円周面３５ｂに設けられ、フレーム３５の円周方向に沿って並んで配列されたカードスロット３６ａ〜ｅ、フレーム３５を回転駆動させる駆動モータ３８などからなる。選択ボタン１７ａ〜ｅの押圧によってメモリカード１３の種類が入力されると、フレーム３５が回転して露呈穴１５ａから所望のカードスロット３６ａ〜ｅが露呈する。【選択図】        図１
2005262528.tif 000002
【特許請求の範囲】
【請求項１】
記憶メディアが着脱自在に装着される装着部と、前記記憶メディアから画像データを読み出す読出手段と、この読出手段によって読み出された画像データに基づく画像を記録材料に記録する記録手段、及びこれらを支持する筐体とからなるプリンタにおいて、
略円形状、又は略扇形状の断面を持つ柱状に形成され、その円周面には、それぞれ種類の異なる複数の前記装着部が円周方向に沿って並んで配設され、且つ前記筐体に対して回転自在に支持された装着部回転体と、この装着部回転体を回動させる駆動部とを備えるとともに、前記装着部のいずれかを外部に露呈させる露呈穴を前記筐体に形成しており、前記記憶メディアを前記装着部に装着するときには、複数の前記装着部のうち、前記記憶メディアに対応した所望の前記装着部が前記露呈穴から露呈するように、前記駆動部を制御して前記装着部回転体を回動させることを特徴とするプリンタ。
【請求項２】
前記記憶メディアに対応した所望の前記装着部の種類を入力する操作部を備えており、この操作部で入力された前記装着部を前記露呈穴から露呈させることを特徴とするプリンタ。
【発明の詳細な説明】
【技術分野】
【０００１】
本発明は、記憶メディアから画像データを入力し、読み込まれた画像データに基づく画像をプリントする店頭設置型のプリンタに関するものである。
【背景技術】
【０００２】
デジタルカメラやカメラ付き携帯電話などの発達に伴って、これらで撮像した画像をメモリーカードなどの記憶メディアを介して入力し、店先などでプリントアウト出来るようにした店頭設置型のプリンタが普及してきている。このような店頭設置型のプリンタでは、特許文献１に記載されているように、複数種類のメモリカードに対応可能とするために、それら複数のメモリカードの規格に対応したカードスロットがそれぞれ設けられているのが一般的である。
【０００３】
【特許文献１】特開２００１−２２９１７６号公報
【発明の開示】
【発明が解決しようとする課題】
【０００４】
最近では、データ容量の増加や、カード外形寸法のコンパクト化、またセキリュティ機能など新たな機能を追加するなどの理由から、メモリカードを含む記憶メディアの種類が増加する傾向にあり、また一般には新たな規格が使用されるようになっても、古い規格の記憶メディアを使いたいというユーザーもいるため、上述したような店頭設置型のプリンタでは、これら多数の種類の記憶メディアに対応したカードスロットをそれぞれ設けていなくてはならない。しかしながら、現在では十種類以上のメモリカード、さらには、ハードディスクカードや、ＣＤ、ＤＶＤなど他の記憶メディアまで含めると非常にたくさんのスロットが必要になるため、これらをプリンタ筐体の一面に全て配設すると、非常に大きい面積が必要となり、ひいてはプリンタのコンパクト化を妨げることになってしまう。ところが、最近では、このようなプリンタでのサービスを利用したいというユーザーの要求が強くなってきており、コンビニエンスストアや駅の構内など、スペースが限られた場所にも設置することができるようなコンパクトで設置面積の小さな店頭設置型のプリンタが望まれている。
【０００５】
また、上述したような記憶メディアは、これからも新しい規格が次々と登場する傾向にあるため、そのような新しい規格の記憶メディアに対応するには、プリンタ自体の交換、あるいは大幅な部品交換が必要となり、非常に手間とコストがかかるため、新規格の記憶メディアにも低コストで効率良く対応できることが望まれている。
【０００６】
本発明は、このような問題を解決するものであり、それぞれ種類の異なる複数の記憶メディアに対応することを可能とし、且つコンパクト化を図り、設置面積が小さな店頭設置型のプリンタを提供することを目的とする。
【課題を解決するための手段】
【０００７】
上記目的を達成するために、本発明のプリンタは、記憶メディアが着脱自在に装着される装着部と、前記記憶メディアから画像データを読み出す読出手段と、この読出手段によって読み出された画像データに基づく画像を記録材料に記録する記録手段、及びこれらを支持する筐体とからなるプリンタにおいて、略円形状、又は略扇形状の断面を持つ柱状に形成され、その円周面には、それぞれ種類の異なる複数の前記装着部が円周方向に沿って並んで配設され、且つ前記筐体に対して回転自在に支持された装着部回転体と、この装着部回転体を回動させる駆動部とを備えるとともに、前記装着部のいずれかを外部に露呈させる露呈穴を前記筐体に形成しており、前記記憶メディアを前記装着部に装着するときには、複数の前記装着部のうち、前記記憶メディアに対応した所望の前記装着部が前記露呈穴から露呈するように、前記駆動部を制御して前記装着部回転体を回動させることを特徴とする。なお、前記記憶メディアに対応した所望の前記装着部の種類を入力する操作部を備えており、この操作部で入力された前記装着部を前記露呈穴から露呈させることが好ましい。
【発明の効果】
【０００８】
本発明のプリンタは、略円形状、又は略扇形状の断面を持つ柱状に形成され、その円周面には、それぞれ種類の異なる複数の記憶メディア用の装着部が円周方向に沿って並んで配設され、且つ筐体に対して回転自在に支持された装着部回転体と、この装着部回転体を回動させる駆動部とを備えるとともに、装着部のいずれかを外部に露呈させる露呈穴を筐体に形成しており、記憶メディアを装着部に装着するときには、複数の装着部のうち、記憶メディアに対応した所望の装着部が露呈穴から露呈するように、駆動部を制御して装着部回転体を回動させているので、複数の記憶メディアの使用を可能とし、且つコンパクトで、設置面積が小さいので、非常に狭いスペースにも設置することが可能となっている。また、新たな規格の記憶メディアが使用されるようになった場合でも、交換する部品数及び手間を最小限に収めることができるので、効率良く対応することができる。
【発明を実施するための最良の形態】
【０００９】
図１及び図２に、本発明を実施した店頭設置型のプリンタの外観図を示す。プリンタ１０は、デジタルカメラなどにより撮影され、メモリカード１３に記憶された画像を出先にてプリントするための装置であり、写真店や電器店の店頭など様々な場所に設置される。利用者はプリンタ１０にメモリカード１３をセットして、プリント料金を投入することによって、メモリカード１３に記憶された画像をプリントすることが出来る。
【００１０】
このプリンタ１０の筐体１５の前面側には、最上方部にディスプレイ１６が設けられており、このディスプレイ１６の下方には、選択ボタン１７ａ〜ｅ、カード装着用ユニット２０、硬貨投入口２１、紙幣投入口２２、釣り銭払い出し口２３、記録紙ロール装填蓋２４が設けられており、最下方部にはプリント排出口２５、トレイ２６が設けられている。
【００１１】
ディスプレイ１６は、矩形状に形成されたＬＣＤ（液晶ディスプレイ）パネルである。なお、本実施形態では、ディスプレイ１６にＬＣＤパネルを使用しているが、これに限らず、例えば、有機ＥＬ（エレクトロルミネッセンス）素子を用いた周知の有機ＥＬシートディスプレイや、ＣＲＴ方式のモニタなどでもよい。
【００１２】
また、ディスプレイ１６の表面には、タッチパネル２８（図３参照）が積層して設けられている。タッチパネル２８は、周知のものと同様の構成であり、詳しい図示は省略するが、透過性を有する２枚の電極部材と、この電極部材の間に隙間を形成するためのスペーサと、電極部材へ電源を供給するとともに、電極部材間に通電が行われたときの位置、及び電流値を信号として出力するフレキシブル基板とから構成されており、ペン又はユーザーの指などからの押圧を受けたときに電極部材同士が接触し、その部分に通電が行われてる。これによってディスプレイ１６に表示されたメニュー及びアイコンの操作や、文字あるいは図形などの入力を行うことができる。なお、タッチパネル２８は、ディスプレイ１６と重なる電極部材の部分が、透明な樹脂で形成されており、ディスプレイ１６に表示された画像や各種情報がタッチパネル２８を透過して、外部に露呈する。
【００１３】
筐体１５の内部には、プリンタ１０の各部の統括制御を行うシステムコントローラ３０（図３参照）が設けられている。システムコントローラ３０はＬＣＤドライバ３２（図３参照）を制御して、メモリーカード１３から読み出された画像や、操作案内などを含む情報画面をディスプレイ１６に表示する。ユーザーは、タッチパネル２８に触れることで、プリント画像の選択や、プリント実行指示などを行う。
【００１４】
カード装着用ユニット２０は、円柱形状に形成され、回転軸３５ａを中心にして筐体１５に対して回転自在に支持されたフレーム（回転体）３５と、このフレーム３５の円周面３５ｂに設けられ、フレーム３５の円周方向に沿って並んで配列されたカードスロット（装着部）３６ａ〜ｅと、フレーム３５の内部に設けられたメモリカードリーダ３７（図３参照）と、回転軸３５ａと一体に接続され、フレーム３５を回転駆動させる駆動モータ３８とからなる。
【００１５】
筐体１５の前面には、露呈穴１５ａが形成されており、カードスロット３６ａ〜ｅのうちいずれか１つのみを露呈させる。この露呈穴１５ａから露呈されるカードスロット３６ａ〜ｅの位置は後述するようにシステムコントローラ３０によって制御される。
【００１６】
カードスロット３６ａ〜ｅは、種類の異なるメモリカード１３が挿抜可能なように、それぞれ異なる規格に合わせたものが形成されており、カードスロット３６ａ〜ｅの奥には、それぞれの種類に応じたメディアアクセスユニットとしてのメモリカードリーダ３７が組み込まれている。メモリカードリーダ３７は、カードスロット３６ａ〜ｅのいずれかに挿入されたメモリカード１３から画像データを読み出す。なお、メモリカード１３の種類としては、ｘＤピクチャーカード（登録商標）、スマートメディア（登録商標）、コンパクトフラッシュ（登録商標）、メモリースティック（登録商標）、メモリースティックＤｕｏ（登録商標）、ＳＤメモリカード（登録商標）、ミニＳＤメモリカード（登録商標）、ＭＭＣカード（登録商標）、ＴＹＰＥＩＩフラッシュメモリカード、ハードディスクカードなど様々な種類のものに対応可能としている。また、カードスロットの数は、対応可能なメモリカードの数に合わせて設ければよく、図１〜３に示す個数（５個）に限るものではない。
【００１７】
駆動モータ３８は、ステッピングモータからなり、システムコントローラ３０によって制御される。ユーザーは、プリンタ１０に装着して使用したい所望のメモリカード１３の種類を選択ボタン１７ａ〜ｅのいずれかを押圧して入力することができる。操作ボタン１７ａ〜ｅから送られた入力信号によって、システムコントローラ３０は、メモリカード１３の種類を識別する。そしてメモリカード１３の種類を識別したシステムコントローラ３０は、カードスロット３６ａ〜ｅのうち、入力されたメモリカード１３に対応した規格のものが露呈穴１５ａから露呈するように、駆動モータ１３を制御し、フレーム３５を所定量回転させる。
【００１８】
カード装着用ユニット２０のフレーム３５は、その回転軸３５ａが筐体１５の上下方向及び前後方向と直交するように支持されているので、フレーム３５は筐体１５に対して縦方向に回転するように配設されている。よってフレーム３５は、その軸方向の厚み寸法ＬF の分だけ、筐体１５の幅方向の寸法ＬC に影響する。フレーム３５の軸方向の寸法ＬF はカードスロット３６ａ〜ｅのうち最も大きいものの１個分の幅よりも僅かに大きいだけなので、フレーム３５は寸法ＬF を非常に薄く作ることができ、このフレーム３５を保持する筐体１５の幅方向の寸法ＬC も小さく形成することが可能である。これにより、プリンタ１０は、その設置面積を非常に小さくすることが可能である。
【００１９】
また、画像の入力に使用する記憶メディアとしては、上述のような半導体メモリなどを使用したメモリカードだけに限るものではなく、ＣＤやＤＶＤメディアを使用し、プリンタ１０にこれらを読み取るディスクドライブ（読み取り装置）を組み込むようにしてもよい。
【００２０】
硬貨投入口２１、紙幣投入口２２、釣り銭払い出し口２３は、料金精算機構３９（図３参照）を構成し、硬貨投入口２１又は紙幣投入口２２から現金が投入されると、この投入された現金からプリント料金が減算され、残りの金額が釣り銭払い出し口２３から払い出される。これにより、プリント料金の精算が行われ、操作画面で選択された画像のプリントが行われる。
【００２１】
さらに、プリンタ１０には、メモリカード１３から読み出した画像を記録媒体に記録する記録部４０が内蔵されている。この記録部４０は、詳しくは、図３に示すように、記録媒体として長尺のカラー感熱記録紙（以下、単に記録紙という）４１に画像を記録する。記録紙４１は、周知のように支持体上にシアン感熱発色層、マゼンタ感熱発色層、イエロー感熱発色層が順次層設されている。最上層となるイエロー感熱発色層は熱感度が最も高く、小さな熱エネルギーでイエローに発色する。最下層となるシアン感熱発色層は熱感度が最も低く、大きな熱エネルギーでシアンに発色する。
【００２２】
また、イエロー感熱発色層は、波長が約４２０ｎｍの青紫色の光であるイエロー定着光が照射されたときに発色能力が消失する。マゼンタ感熱発色層は、イエロー感熱発色層とシアン感熱発色層との中間程度の熱エネルギーでマゼンタに発色し、波長が約３６５ｎｍの近紫外線であるマゼンタ定着光が照射されたときに発色能力が消失する。この記録紙４１は、巻芯４３にロール状に巻かれた記録紙ロール４５の形態で用いられる。筐体１５には、装填蓋２４（図１参照）によって開閉される記録紙収納室４６が形成されており、記録紙ロール４５は、この記録紙収納室４６にセットされる。
【００２３】
システムコントローラ３０は、タッチパネル２８から入力される操作信号に基づいて、接続された各部を駆動制御し、メモリカード１３から読み込んだ画像を記録紙４１に記録する。
【００２４】
給紙ローラ５３は、セットされた記録紙ロール４５の外周面に当接し、記録紙４１を搬送路上に引き出して給紙を行う。搬送ローラ対５５は、給紙された記録紙４１をニップしてＡ方向及びＢ方向へ往復搬送する。給紙ローラ５３及び搬送ローラ対５５は、搬送モータ５７によって駆動される。システムコントローラ３０は、搬送モータ５７の回転量をカウントして、記録紙４１の搬送量を制御する。
【００２５】
記録紙４１は、この搬送中にサーマルヘッド５９による熱記録と光定着器６１による光定着が行われる。サーマルヘッド５９は、記録紙４１と圧接して各感熱発色層を加熱することによりイエロー，マゼンタ，シアンの各色の画像を熱記録する。サーマルヘッド５９と対向する位置には、プラテンローラ６３が設けられ、記録紙４１は、サーマルヘッド５９とプラテンローラ６３とで挟み込まれた状態で熱記録される。
【００２６】
光定着器６１は、イエロー用定着ランプ６１ａと、マゼンタ用定着ランプ６１ｂと、リフレクタ６１ｃとからなる。イエロー定着ランプ６１ａは、イエロー画像を熱記録済みのイエロー感熱発色層に対してイエロー定着光を照射して光定着する。マゼンタ用定着ランプ６１ｂは、マゼンタ画像を記録済みのマゼンタ感熱発色層に対してマゼンタ定着光を照射して光定着する。リフレクタ６１ｃは、イエロー用及びマゼンタ用の各定着ランプ６１ａ，６１ｂが放射した光を記録紙４１に向けて反射する。
【００２７】
カッタ機構７１は、カッタモータ７３によって駆動され、熱記録及び光定着が終了した記録済み部分を切断して記録紙４１から切り離す。記録紙４１がシート状に切断され記録紙シート７５は、排出口２５（図１参照）から外部に排紙される。排出口２５の下方には、トレイ２６（図１参照）が配設されており、排出口２５から排出された記録紙シート７５を受け止める。
【００２８】
上記構成の作用について以下に説明する。プリンタ１０を店頭などに設置するには、筐体１５の幅方向の寸法ＬC が入るだけの隙間のような狭いスペースがあればよい。すなわち、プリンタ１０の筐体１５は、上述したようにカード装着用ユニット２０のフレーム３５の軸方向の寸法ＬF よりも僅かに大きい幅方向の寸法ＬC に形成されているので、プリンタ１０の設置面積が非常に小さくなっている。よって、コンビニエンスストアや、駅の構内、電話ボックス内や、パチンコ店内でのパチンコ台同士の隙間、書籍店内での本棚の隙間など設置面積が限られたスペースにも置くことが可能となり、ユーザーは様々な場所で、このプリンタ１０を使用することができる。もし従来のプリンタのように、複数のカードスロットを筐体の前面に並べて設けている場合、プリンタが大型化してしまうが、本実施形態では、上述したようにフレーム３５の円周面にカードスロット３６ａ〜ｅを設けて筐体１５に組み込まれているので、そのようなことはない。
【００２９】
そして、このようなプリンタ１０を使用するときのシーケンスを図４に示すフローチャートに沿って説明する。ユーザーは先ず、デジタルカメラなどから取り外したメモリカード１３の種類に対応する選択ボタン１７ａ〜ｅを押圧する。選択ボタン１７ａ〜ｅの押圧操作によってメモリカード１３の種類が入力されたシステムコントローラ１３は、駆動モータ３８を制御して、メモリカード１３の種類に対応するカードスロット３６ａ〜ｅのいずれか１つを露呈穴１５ａから露呈するように移動させる。これによって、ユーザーはプリンタ１０へのメモリカード１３の装着が可能となり、カードスロット３６ａ〜ｅのいずれかにメモリカード１３をセットする。なお、このメモリカード１３がカードスロット３６ａ〜ｅにセットされたとき、プリント処理が終了してメモリカード１３が抜き取られるまでは、駆動モータ３８が停止しており、カードスロット３６ａ〜ｅの位置が移動しないようになっている。これによって、プリント終了後、メモリカード１３の位置を容易に視認して抜き取り可能となっている。また、このようにメモリカード装着時にカードスロット３６ａ〜ｅの移動を禁止しない場合には、メモリカード１３が装着されたカードスロット３６ａ〜ｅの位置をシステムコントローラ３０が内蔵メモリなどに記憶しておき、プリント終了後に、このメモリカード装着状態のカードスロット３６ａ〜ｅを露呈穴１５ａの位置に移動させて、メモリカード１３を抜き取り可能にすればよい。
【００３０】
メモリカード１３の装着後、続いてユーザーは、硬貨投入口２１、紙幣投入口２２から料金を投入する。すると、ディスプレイ１６には、メモリカード１３から読み出された画像、及び操作画面が表示され、プリント選択操作が開始される。
【００３１】
そして、先ず表示された操作画面のメニューに従って、プリンタ１０で記録したい画像をタッチパネル２８で選択操作する。そして選択操作をして画像を決定すると、その画像がプリント対象となる。また、このとき、編集メニューを選択し、画像に多少の加工などを施すようにしてもよい。このような画像の編集としては、例えば、画像の一部を抜き出して拡大するトリミング加工や、あるいは、予め設定された背景画像などと、プリント対象の画像とを合成する画像合成をしてもよい。さらにまた、ユーザーが上述の操作を行うときに、日付や名称などの入力を行うようにしてもよい。
【００３２】
そして、プリント対象の画像が決定し、プリント開始操作が行われると、記録部４０による記録紙４１への画像記録が開始される。そして、記録部４０が記録紙４１に対象の画像を記録すると、排出口２５から画像記録済みの記録紙シート７５が排出され、ユーザーはハードコピーを得ることができる。
【００３３】
このように、簡単な操作で所望する画像のハードコピーを得ることが可能となり、尚且つコンパクトで設置面積の小さいプリンタ１０とすることで、いろいろな場所に設置することが可能となり、ユーザーは、プリンタ１０によるプリントサービスを多くの場所で手軽に利用できるようになる。さらに、カードスロット３６ａ〜ｅは、全てフレーム３５の外周面に設けられ、カード装着用ユニット２０として組み込まれているので、メモリカード１３として新たな規格が使用されるようになっても、このカード装着用ユニット２０を交換、又は一部を改造するのみで対応することができるので、手間が掛からず、ローコストに対応することができる。
【００３４】
なお、上記実施形態では、カードスロット３６ａ〜ｅが設けられたフレーム３５は、筐体１５に対して縦方向に回転するように配設されているが、これに限るものではなく、図５に示すように、横方向に回転するように、カードスロットが設けられたフレームを配設してもよい。なお、図５においては、上記実施形態と同様の部品・部材を用いているものについては同符号を付して説明を省略する。
【００３５】
図５に示すプリンタ８０の筐体８１の前面側には、最上方部にディスプレイ１６が設けられており、このディスプレイ１６の下方には、選択ボタン１７ａ〜ｅ、カード装着用ユニット８２、硬貨投入口２１、紙幣投入口２２、釣り銭払い出し口２３、記録紙ロール装填蓋２４が設けられており、最下方部にはプリント排出口２５、トレイ２６が設けられている。
【００３６】
カード装着用ユニット８２は、円柱形状に形成され、回転軸８３ａを中心にして筐体８１に対して回転自在に支持されたフレーム８３と、このフレーム８３の円周面８３ｂに設けられ、フレーム８３の円周方向に沿って並んで配列されたカードスロット３６ａ〜ｅと、フレーム３５の内部に設けられたメモリカードリーダ（図示せず）と、回転軸８３ａと一体に接続され、フレーム３５を回転駆動させる駆動モータ３８とからなる。フレーム８３は、その回転軸８３ａが筐体８１の上下方向と平行に位置するように支持されているので、フレーム８３は筐体８１に対して横方向に回転する。選択ボタン１７ａ〜ｅの押圧操作によってメモリカード１３の種類が入力されると、カードスロット３６ａ〜ｅのうち、入力されたメモリカード１３に対応した規格のものが露呈穴８１ａから露呈するように、駆動モータ３８が制御され、フレーム８３が所定量回転する。このような構成とすることによって、上記実施形態と同様にプリンタ８０のコンパクト化、及び部品交換の容易化、ローコスト化を図ることができる。
【００３７】
なお、上記実施形態においては、プリンタの筐体に回転自在に支持され、円周面にカードスロットが設けられたフレーム（回転体）は、円柱形状に形成されているが、これに限るものではなく、扇形状（半円形状を含む）の断面を持つ柱状にフレームを形成し、この円周面に種類の異なる複数のカードスロットを設けるようにしてもよい。
【００３８】
なお、上記実施形態では、記録紙ロールを用いるプリンタを例に説明をしたが、記録紙を予め所定の大きさのシート状にカットした、カットタイプの記録紙を用いるプリンタに本発明を適用することも可能である。
【００３９】
また、カラー感熱記録紙をサーマルヘッドで加熱して熱記録を行う感熱記録方式のカラー感熱プリンタを例に説明をしたが、インクリボンやインクシートをサーマルヘッドで加熱して、インクを用紙に転写するサーマルプリンタに適用してもよい。また、サーマルプリンタ以外のプリンタでもよく、インク噴射式のプリンタやレーザープリンタなど各種プリンタに本発明を適用することが出来る。
【図面の簡単な説明】
【００４０】
【図１】プリンタの外観斜視図である。
【図２】プリンタの正面図である。
【図３】プリンタの概略的な構成を示す説明図である。
【図４】画像記録を行うときの手順を表すフローチャートである。
【図５】別の実施例のプリンタを示す斜視図である。
【符号の説明】
【００４１】
１０，８０    プリンタ
１３    メモリカード
１５，８１    筐体
１６    ディスプレイ
１７ａ〜ｅ    選択ボタン
１９ａ〜ｅ    カードスロット
２０    カード用装着ユニット
３０    システムコントローラ
３５    フレーム
４０  記録部
４１    記録紙
４５    記録紙ロール
７５    記録紙シート
【図１】
2005262528.tif 000003
【図２】
2005262528.tif 000004
【図３】
2005262528.tif 000005
【図４】
2005262528.tif 000006
【図５】
2005262528.tif 000007